(57)【要約】    【課題】  放射線源を適切に管理することのできる放射線源管理システムを提供する。    【手段】  入力部２から、放射線源発注または放射線源廃棄のための入力がなされると、合計線量算出手段６は、当該入力の種類に応じて、異なった算出方式によって合計線量の算出を行う。放射線源発注のための入力がなされると、放射線の時間的な減衰を考慮しない規格に基づいて、合計貯蔵線量の算出を行う。  放射線源廃棄のための入力がなされると、放射線の時間的な減衰を考慮した実線量に基づいて、合計廃棄線量の算出を行う。発注時処理手段８は、合計線量算出手段６によって算出された受入予定日における合計貯蔵線量が、貯蔵可能合計線量を超えていれば、表示部に警告を表示するように制御する。廃棄時処理手段１０は、合計線量算出手段６によって算出された廃棄委託予定日における合計廃棄線量に基づいて、廃棄用容器が何個必要であるかを算出して、表示部に表示するように制御する。【選択図】  図１
2008191094.tif 000002
【特許請求の範囲】
【請求項１】
放射線源の管理を行うための管理システムであって、
放射線源群ごとに、線源群ＩＤ、線源数量、検定日、貯蔵数量、受入予定日、使用数量、使用予定日、廃棄数量、廃棄委託予定日を管理データとして記録する記録部と、
線源群ＩＤ、線源数量、検定日、発注数量、受入予定日、廃棄数量、廃棄委託予定日を入力するための入力部と、
放射線源発注のための入力、または放射線源廃棄のための入力が入力部からなされると、受入予定日における合計貯蔵線量、または廃棄予定日における合計廃棄線量を算出する合計線量算出手段と、
合計線量算出手段によって算出された受入予定日における合計貯蔵線量が貯蔵可能合計線量を超えていれば、警告を表示部に表示する発注時処理手段と、
合計線量算出手段によって算出された廃棄予定日における合計廃棄線量に基づいて、廃棄用容器が何個必要であるかを算出し、廃棄予定日における合計廃棄線量とともに表示部に表示させる廃棄時処理手段と、
を備えており、
前記合計線量算出手段は、放射線源発注のための入力がなされた場合には、線源数量に基づいて受入予定日における合計規格線量を合計貯蔵線量として算出し、放射線源廃棄のための入力がなされた場合には、線源数量だけでなく検定日、廃棄委託予定日に基づいて廃棄委託予定日における合計実線量を合計廃棄線量として算出することを特徴とする放射線源管理システム。
【請求項２】
放射線源の管理を行うための管理システムをコンピュータによって実現するためのプログラムであって、
前記コンピュータは、放射線源群ごとに、線源群ＩＤ、線源数量、検定日、貯蔵数量、受入予定日、使用数量、使用予定日、廃棄数量、廃棄委託予定日を管理データとして記録する記録部と、線源群ＩＤ、線源数量、検定日、発注数量、受入予定日、廃棄数量、廃棄委託予定日を入力するための入力部を有しており、
前記プログラムは、
放射線源発注のための入力、または放射線源廃棄のための入力が入力部からなされると、受入予定日における合計貯蔵線量、または廃棄予定日における合計廃棄線量を算出する合計線量算出手段と、
合計線量算出手段によって算出された受入予定日における合計貯蔵線量が貯蔵可能合計線量を超えていれば、警告を表示部に表示する発注時処理手段と、
合計線量算出手段によって算出された廃棄予定日における合計廃棄線量に基づいて、廃棄用容器が何個必要であるかを算出し、廃棄予定日における合計廃棄線量とともに表示部に表示させる廃棄時処理手段と、
をコンピュータによって実現するためのプログラムであって、
前記合計線量算出手段は、放射線源発注のための入力がなされた場合には、線源数量に基づいて受入予定日における合計規格線量を合計貯蔵線量として算出し、放射線源廃棄のための入力がなされた場合には、線源数量だけでなく検定日、廃棄委託予定日に基づいて廃棄委託予定日における合計実線量を合計廃棄線量として算出することを特徴とする放射線源管理プログラム。
【請求項３】
放射線源の管理を行うための管理システムであって、
放射線源群ごとに、線源群ＩＤ、線源種類、線源数量、貯蔵数量を管理データとして記録する記録部と、
線源群ＩＤ、線源種類、線源数量、受入数量を入力するための入力部と、
受入時に入力部から入力された線源群ＩＤ、線源種類、線源数量、受入数量および記録部に記録された管理データに基づいて、受入後の各放射線源ごとの合計規格線量を算出する合計規格線量算出手段と、
算出された受入後の各放射線源ごとの合計規格線量を表示部に表示するよう制御する合計規格線量表示手段と、
放射線源受入時に入力部から入力された線源群ＩＤ、線源種類、線源数量、受入数量に基づいて、記録部に記録された放射線源の貯蔵数量を更新する管理データ更新手段と、
を備えた放射線源管理システム。
【請求項４】
放射線源の管理を行うための管理システムをコンピュータによって実現するためのプログラムであって、
前記コンピュータは、
放射線源群ごとに、線源群ＩＤ、線源種類、線源数量、貯蔵数量を管理データとして記録する記録部と、
線源群ＩＤ、線源種類、線源数量、受入数量を入力するための入力部と、を備えており、
前記プログラムは、
受入時に入力部から入力された線源群ＩＤ、線源種類、線源数量、受入数量および記録部に記録された管理データに基づいて、受入後の各放射線源ごとの合計規格線量を算出する合計規格線量算出手段と、
算出された受入後の各放射線源ごとの合計規格線量を表示部に表示するよう制御する合計規格線量表示手段と、
放射線源受入時に入力部から入力された線源群ＩＤ、線源種類、線源数量、受入数量に基づいて、記録部に記録された放射線源の貯蔵数量を更新する管理データ更新手段と、
をコンピュータによって実現するための放射線源管理プログラム。
【請求項５】
請求項３または４の放射線源管理システムまたは放射線源管理プログラムにおいて、
合計規格線量算出手段によって算出された各放射線源ごとの合計規格線量が、貯蔵可能規格合計線量を超えていれば、警告を表示部に表示する受入時警告手段をさらに備えたことを特徴とする放射線源管理システムまたは放射線源管理プログラム。
【請求項６】
請求項３〜５のいずれかの放射線源管理システムまたは放射線源管理プログラムにおいて、
前記記録部の管理データには、放射線源群ごとに使用予定日、使用予定数量が記録されており、
放射線源の発注時に入力部から入力された線源種類、線源規格、発注数量、受入予定日および記録部に記録された管理データに基づいて、線源種類ごとに受入予定日に合計規格線量が貯蔵可能合計規格線量を超えないか否かを判断し、超える場合には警告を表示部に表示する発注時警告手段をさらに備えたことを特徴とする放射線源管理システムまたは放射線源管理プログラム。
【請求項７】
請求項３〜６のいずれかの放射線源管理システムまたは放射線源管理プログラムにおいて、
受入予定日に合計規格線量が貯蔵可能合計規格線量を超えると判断した場合には、使用予定日、使用予定数量を考慮して、合計規格線量が貯蔵可能合計規格線量を超えないように変更した受入予定日を算出して表示部に表示する受入予定日変更手段をさらに備えたことを特徴とする放射線源管理システムまたは放射線源管理プログラム。
【請求項８】
請求項１〜７のいずれかの放射線源管理システムまたは放射線源管理プログラムにおいて、
前記記録部には、放射線源群ごとにＩＤおよび検定日が記録されており、
放射線源の廃棄処理時に入力部から入力された放射線源群ＩＤ、廃棄委託予定日を受けて、放射線源群の検定日における規格線量の廃棄委託予定日までの減衰を考慮し、廃棄委託予定日における合計実線量を算出して表示部に表示させる廃棄時合計実線量表示手段をさらに備えることを特徴とする放射線源管理システムまたは放射線源管理プログラム。
【請求項９】
請求項８の放射線源管理システムまたは放射線源管理プログラムにおいて、
算出した廃棄委託予定日における合計実線量に基づいて、廃棄用容器が何個必要であるかを算出して表示部に表示させる廃棄容器数量表示手段をさらに備えることを特徴とする放射線源管理システムまたは放射線源管理プログラム。
【請求項１０】
請求項１〜９のいずれかの放射線源管理システムまたは放射線源管理プログラムにおいて、
放射線源の譲渡処理時に入力部から入力された放射線源群ＩＤを受けて、譲渡予定の放射線源の合計規格線量および容器が何個必要かを表示部に表示する譲渡容器数量表示手段をさらに備えることを特徴とする放射線源管理システムまたは放射線源管理プログラム。
【請求項１１】
請求項１〜１０のいずれかの放射線源管理システムまたは放射線源管理プログラムにおいて、
患者退出処理時に入力部から入力された退出予定日を受けて、当該患者に使用した放射線源群ＩＤの当該退出予定日の合計実線量を算出し、これが１３００ＭＢｑ以下であるか否かを判断し、そうでなければ警告を表示部に表示する退出時警告手段をさらに備えたことを特徴とする放射線源管理システムまたは放射線源管理プログラム。
【請求項１２】
請求項１１の放射線源管理システム、または放射線源管理プログラムにおいて、
退出予定日の合計実線量が１３００ＭＢｑを超えていた場合には、退出予定日を何日にすれば、当該退出予定日の合計実線量が１３００ＭＢｑ以下となるかを算出し、変更した退出予定日を表示部に表示する退出予定日変更手段をさらに備えたことを特徴とする放射線源管理システムまたは放射線源管理プログラム。
【発明の詳細な説明】
【背景技術】
【０００１】
放射線源である密封小線源を、人体に永久的に挿入して行う癌治療（ブラキテラピー）がなされている。たとえば、非特許文献１の「前立腺がんＰＳＡ検査で早期発見、小線源療法で手軽に根治が可能に」や非特許文献２を参照のこと。
【０００２】
ブラキテラピーは、標的臓器内へ限局した高線量の照射が可能で、周辺臓器への影響が少ないという特徴を有している。
【０００３】
【非特許文献１】日経ビジネス２００６年６月２６日号別冊
【０００４】
【非特許文献２】臨床放射線、４７巻、２号、２８９頁〜２９８頁
【発明の開示】
【発明が解決しようとする課題】
【０００５】
しかしながら、ブラキテラピーをはじめとする放射線源を用いた治療においては、他の患者や家族などへの影響から、放射線源の管理が厳しく求められる。また、その規制法律も、放射線障害防止法、医療法など複数にわたっており、病院などの放射線源の貯蔵限界を考慮しつつ、発注、廃棄、使用、譲渡などを管理していかなければならない。このため、放射線源の管理が煩雑であり、治療に必要な時点に必要な量の放射線源を確保することに困難が生じたり、必要以上の放射線源が確保されたりするおそれがあった。
【０００６】
この発明は上記のような問題点を解決して、放射線源を適切に管理することのできる放射線源管理システムを提供することを目的とする。
【課題を解決するための手段】
【０００７】
(1)この発明に係る放射線源の管理を行うための管理システムは、
放射線源群ごとに、線源群ＩＤ、線源数量、検定日、貯蔵数量、受入予定日、使用数量、使用予定日、廃棄数量、廃棄委託予定日を管理データとして記録する記録部と、線源群ＩＤ、線源数量、検定日、発注数量、受入予定日、廃棄数量、廃棄委託予定日を入力するための入力部と、放射線源発注のための入力、または放射線源廃棄のための入力が入力部からなされると、受入予定日における合計貯蔵線量、または廃棄予定日における合計廃棄線量を算出する合計線量算出手段と、合計線量算出手段によって算出された受入予定日における合計貯蔵線量が貯蔵可能合計線量を超えていれば、警告を表示部に表示する発注時処理手段と、合計線量算出手段によって算出された廃棄予定日における合計廃棄線量に基づいて、廃棄用容器が何個必要であるかを算出し、廃棄予定日における合計廃棄線量とともに表示部に表示させる廃棄時処理手段とを備えており、前記合計線量算出手段は、放射線源発注のための入力がなされた場合には、線源数量に基づいて受入予定日における合計規格線量を合計貯蔵線量として算出し、放射線源廃棄のための入力がなされた場合には、線源数量だけでなく検定日、廃棄委託予定日に基づいて廃棄委託予定日における合計実線量を合計廃棄線量として算出することを特徴としている。
【０００８】
したがって、処理の内容に応じて適切な合計線量を算出し、線源の管理を適切に行うことができる。
【０００９】
(3)この発明に係る放射線源の管理を行うための管理システムは、放射線源群ごとに、線源群ＩＤ、線源数量、貯蔵数量を管理データとして記録する記録部と、線源群ＩＤ、線源数量、受入数量を入力するための入力部と、受入時に入力部から入力された線源群ＩＤ、線源数量、受入数量および記録部に記録された管理データに基づいて、受入後の各放射線源ごとの合計規格線量を算出する合計規格線量算出手段と、算出された受入後の各放射線源ごとの合計規格線量を表示部に表示するよう制御する合計規格線量表示手段と、放射線源受入時に入力部から入力された線源群ＩＤ、線源種類、線源数量、受入数量に基づいて、記録部に記録された放射線源の貯蔵数量を更新する管理データ更新手段とを備えている。
【００１０】
したがって、線源群の受入時に合計規格線量が表示されるので、当該線源の受入が可能であるかどうかを判断することができる。
【００１１】
(5)この発明に係る放射線源管理システムは、合計規格線量算出手段によって算出された各放射線源ごとの合計規格線量が、貯蔵可能規格合計線量を超えていれば、警告を表示部に表示する受入時警告手段を備えたことを特徴としている。
【００１２】
したがって、貯蔵可能規格合計線量を超えていることを容易に知ることができる。
【００１３】
(6)この発明に係る放射線源管理システムは、記録部の管理データには、放射線源群ごとに使用予定日、使用予定数量が記録されており、放射線源の発注時に入力部から入力された線源種類、線源規格、発注数量、受入予定日および記録部に記録された管理データに基づいて、線源種類ごとに受入予定日に合計規格線量が貯蔵可能合計規格線量を超えないか否かを判断し、超える場合には警告を表示部に表示する発注時警告手段を備えたことを特徴としている。
【００１４】
したがって、発注時に、受入予定日に貯蔵可能規格合計線量を超えることを予め知ることができる。
【００１５】
(7)この発明に係る放射線源管理システムは、受入予定日に合計規格線量が貯蔵可能合計規格線量を超えると判断した場合には、使用予定日、使用予定数量を考慮して、合計規格線量が貯蔵可能合計規格線量を超えないように変更した受入予定日を算出して表示部に表示する受入予定日変更手段を備えたことを特徴としている。
【００１６】
したがって、合計規格線量が貯蔵可能合計規格線量を超えないように、受入予定日を設定することが容易である。
【００１７】
(8)この発明に係る放射線源管理システムは、記録部には、放射線源群ごとにＩＤおよび検定日が記録されており、放射線源の廃棄処理時に入力部から入力された放射線源群ＩＤ、廃棄委託予定日を受けて、放射線源群の検定日における規格線量の廃棄委託予定日までの減衰を考慮し、廃棄委託予定日における合計実線量を算出して表示部に表示させる廃棄時合計実線量表示手段を備えている。
【００１８】
したがって、廃棄時における実際の線量を容易に知ることができる。
【００１９】
(9)この発明に係る放射線源管理システムは、算出した廃棄委託予定日における合計実線量に基づいて、廃棄用容器が何個必要であるかを算出して表示部に表示させる廃棄容器数量表示手段を備えることを特徴としている。
【００２０】
したがって、廃棄時における実際の線量に基づいて廃棄用容器の必要個数を得ることができる。
【００２１】
(10)この発明に係る放射線源管理システムは、放射線源の譲渡処理時に入力部から入力された放射線源群ＩＤを受けて、譲渡予定の放射線源の合計規格線量および容器が何個必要かを表示部に表示する譲渡容器数量表示手段を備えることを特徴としている。
【００２２】
したがって、譲渡時における譲渡用容器の必要個数を得ることができる。
【００２３】
(11)この発明に係る放射線源管理システムは、患者退出処理時に入力部から入力された退出予定日を受けて、当該患者に使用した放射線源群ＩＤの当該退出予定日の合計実線量を算出し、これが１３００ＭＢｑ以下であるか否かを判断し、そうでなければ警告を表示部に表示する退出時警告手段を備えたことを特徴としている。
【００２４】
したがって、患者の退院時の要件充足を容易に判定することができる。
【００２５】
(12)この発明に係る放射線源管理システムは、退出予定日の合計実線量が１３００ＭＢｑを超えていた場合には、退出予定日を何日にすれば、当該退出予定日の合計実線量が１３００ＭＢｑ以下となるかを算出し、変更した退出予定日を表示部に表示する退出予定日変更手段を備えたことを特徴としている。
【００２６】
したがって、要件を満足する退院予定日を容易に得ることができる。
【００２７】
この発明において、「記録部」とは、少なくとも管理データを記録する機能を有するものをいい、実施形態ではハードディスク１２がこれに該当する。
【００２８】
「入力部」とは、線源群ＩＤ等を入力する機能を有するものをいい、実施形態ではキーボード／マウス１０がこれに該当する。
【００２９】
「合計線量算出手段」は、実施形態においては、図１５のステップＳ２４４、図２３のステップＳ４４６によって示されるＣＰＵ２の機能がこれに該当する。
【００３０】
「発注時処理手段」は、実施形態においては、図２３のステップＳ４４６、Ｓ４４７によって示されるＣＰＵ２の機能がこれに該当する。
【００３１】
「廃棄時処理手段」は、実施形態においては、図１５のステップＳ２４５によって示されるＣＰＵ２の機能がこれに該当する。
【００３２】
「合計規格線量算出手段」は、実施形態においては、図８のステップＳ２３４によって示されるＣＰＵ２の機能がこれに該当する。
【００３３】
「合計規格線量」とは、直接的に合計規格線量を示す数値だけでなく、間接的にこれを示す数値であってもよい。たとえば、各規格毎の合計個数も含む概念である。
【００３４】
「貯蔵可能合計線量」とは、直接的に貯蔵可能合計線量を示す数値だけでなく、間接的にこれを示す数値であってもよい。たとえば、各規格毎の貯蔵可能合計個数も含む概念である。
【００３５】
「合計規格線量表示手段」は、実施形態においては、図８のステップＳ２３５によって示されるＣＰＵ２の機能がこれに該当する。
【００３６】
「受入時警告手段」は、実施形態においては、図８のステップＳ２３６、Ｓ２３７によって示されるＣＰＵ２の機能がこれに該当する。
【００３７】
「発注時警告手段」は、実施形態においては、図２３のステップＳ４４６、Ｓ４４７によって示されるＣＰＵ２の機能がこれに該当する。
【００３８】
「廃棄時合計実線量表示手段」は、図１５のステップＳ２４４によって示されるＣＰＵ２の機能がこれに該当する。
【００３９】
「廃棄容器数量表示手段」は、図１５のステップＳ２４５、Ｓ２４６によって示されるＣＰＵ２の機能がこれに該当する。
【００４０】
「譲渡容器数量表示手段」は、図１２のステップＳ２５２によって示されるＣＰＵ２の機能がこれに該当する。
【００４１】
「プログラム」とは、ＣＰＵにより直接実行可能なプログラムだけでなく、ソース形式のプログラム、圧縮処理がされたプログラム、暗号化されたプログラム等を含む概念である。
【発明を実施するための形態】
【００４２】
１．第一の実施形態
1.1この発明の第一の実施形態による放射線源管理システムの機能ブロック図を図１に示す。
【００４３】
記録部４には、放射線源ごとに管理データが記録されている。この管理データには、線源群ＩＤ、線源種類、線源数量、検定日、貯蔵数量、受入予定日、使用数量、使用予定日、廃棄数量、廃棄委託予定日が記述されている。
【００４４】
入力部２は、放射線源発注、放射線源廃棄のための入力を行うためのものである。入力部２から、放射線源発注または放射線源廃棄のための入力がなされると、合計線量算出手段６は、当該入力の種類に応じて、異なった算出方式によって合計線量の算出を行う。
【００４５】
放射線源発注のための入力がなされると、入力された線源数量・発注数量、記録されている線源数量・貯蔵数量などに基づいて、受入予定日における合計規格線量を合計貯蔵線量として算出する。つまり、放射線の時間的な減衰を考慮しない規格に基づいて、合計貯蔵線量の算出を行う。
【００４６】
放射線源廃棄のための入力がなされると、入力された線源数量・検定日・廃棄数量、廃棄委託予定日などに基づいて、廃棄委託予定日における合計実線量を合計廃棄線量として算出する。つまり、放射線の時間的な減衰を考慮した実線量に基づいて、合計廃棄線量の算出を行う。
【００４７】
発注時処理手段８は、合計線量算出手段６によって算出された受入予定日における合計貯蔵線量が、貯蔵可能合計線量を超えていれば、表示部に警告を表示するように制御する。
【００４８】
廃棄時処理手段１０は、合計線量算出手段６によって算出された廃棄委託予定日における合計廃棄線量に基づいて、廃棄用容器が何個必要であるかを算出して、表示部に表示するように制御する。なお、算出した合計廃棄線量のみを表示し、廃棄用容器が何個必要であるかは算出・表示しないようにしてもよい。
【００４９】
1.2ハードウエア構成
図２に、第一の実施形態による放射線源管理システムのハードウエア構成図を示す。サーバ装置Ｓには、放射線源管理プログラムが記録されている。サーバ装置Ｓには、ネットワークを介して端末装置Ｔ1、Ｔ2・・・Ｔnが接続されている。各端末装置Ｔ1、Ｔ2・・・Ｔnは、放射線源の管理を行う各部署（受入管理者、医師、廃棄管理者など）に置かれている。
【００５０】
図３に、サーバ装置Ｓのハードウエア構成を示す。ＣＰＵ２には、メモリ４、ディスプレイ６、通信回路８、マウス／キーボード１０、記録部であるハードディスク１２、プリンタ１４が接続されている。通信回路８は、ネットワークを介して端末装置Ｔ1、Ｔ2・・・Ｔnと通信をするための回路である。ハードディスク１２には、オペレーティングシステム（マイクロソフト社のWINDOWS（商標）など）１６、放射線源管理プログラム１８、管理データ２０、患者データ２１、利用者データベース（図示せず）などが記録されている。放射線源管理プログラム１８は、オペレーティングシステム１６と協働して、その機能を発揮する。
【００５１】
なお、各端末装置Ｔ1、Ｔ2・・・Ｔnも同様の構成である。ただし、ハードディスク１２には、端末装置用の放射線源管理プログラムが記録される。端末装置用の放射線源管理プログラムは、端末装置のマウス／キーボード１０からの入力をサーバ装置Ｓに送ったり、サーバ装置Ｓからのデータを受けてこれをディスプレイ６に表示したりする処理を行うものである。実質的な処理は、サーバ装置Ｓの放射線源管理プログラム１８が実行するので、以下では、端末装置用の放射線源管理プログラムの処理は省略する。また、管理データ２０は、個々の端末装置Ｔ1、Ｔ2・・・Ｔnには記録されない。
【００５２】
1.3データ構成
図４ａに、サーバ装置Ｓのハードディスク１２に記録されている管理データ２０を示す。図４ｂに、サーバ装置Ｓのハードディスク１２に記録されている患者データ２１を示す。
【００５３】
1.4放射線源管理プログラム
図５に、サーバ装置Ｓのハードディスク１２に記録された放射線源管理プログラム１８のフローチャートを示す。利用者が、端末装置Ｔ1（その他の端末装置Ｔ2・・・Ｔnでもよい）から、サーバ装置３にアクセスすると、ログイン画面が端末装置Ｔ1のディスプレイに表示される。このログイン画面において、利用者が、ユーザＩＤとパスワードを入力してサーバ装置Ｓに送信すると、サーバ装置Ｓはユーザ認証を行う（ステップＳ１）。サーバ装置Ｓは、送信されてきたユーザＩＤとパスワードに基づいて利用者の認証を行い、利用者データベースに登録された利用者であれば、メイン画面を送信する。送信されたメイン画面は、端末装置Ｔ1において表示される。
【００５４】
図６に、端末装置Ｔ1に表示されるメイン画面の例を示す。入力領域３０には、線源管理のための処理を選択するボタンが設けられている。図においては、保管ボタン３２、使用ボタン３４、退出ボタン３６、余剰線源の引渡ボタン３８、退院後の脱落線源等の管理ボタン４０、脱落線源の廃棄ボタン４２が設けられている。これらボタンをマウスによって押下すると、それぞれの処理が開始される。
【００５５】
退院指示書作成システム領域５０には、退院指示書作成に関するボタンが設けられている。図においては、新規作成ボタン５２、検索ボタン５４が設けられている。
【００５６】
お知らせ領域６０には、現在の未使用線源数や保管廃棄線源数などの表示がされる。
【００５７】
線源検索領域７０には、線源管理ＩＤなど線源検索のための検索条件入力領域が設けられている。検索条件を入力して、検索ボタン７２を押下すると、検索処理が開始される。
【００５８】
患者情報管理領域８０には、患者ＩＤなど線源検索のための検索条件入力領域が設けられている。検索条件を入力して、検索ボタン８２を押下すると、検索処理が開始される。
【００５９】
画面下部には、ヘルプボタン９０、基本情報管理ボタン９２、ＩＤ・パスワード管理ボタン９４、終了ボタン９６が設けられている。
【００６０】
図６のメイン画面において、利用者がいずれかのボタンをクリックすると、この情報がサーバ装置Ｓに送信される。サーバ装置ＳのＣＰＵ２（以下単にＣＰＵ２と記すときはサーバ装置ＳのＣＰＵ２を指す）は、これを受けて、押下されたボタンに対応する処理を実行する（図５、ステップＳ２）。以下、各ボタンが押下された場合の処理について説明する。
【００６１】
1.5線源管理
1.5.1保管処理
まず、利用者（線源管理者など）が、線源を受け入れた時、当該線源を登録するために、線源管理領域３０の保管ボタン３２を押下した場合の処理について説明する。ＣＰＵ２は、線源管理処理（ステップＳ６）を行う。線源管理処理の詳細を示したのが、図７である。ここでは、保管ボタン３２が押下されているので、ＣＰＵ２は、ステップＳ１３０からステップＳ１３２に進んで、保管処理を実行する。
【００６２】
保管処理の詳細を図８に示す。保管処理においては、ＣＰＵ２は、まず、図９に示すような保管入力画面を、端末装置Ｔ1に送信する（ステップＳ２３２）。利用者は、端末装置Ｔ1から線源管理ＩＤ、検定日、線源受入年月日、規格、個数などを入力する（ステップＳ２３３）。
【００６３】
ここで、線源管理ＩＤは、線源の管理のために利用者が線源に対して付すＩＤである（ＣＰＵ２が、自動的に連番を付してもよい）。検定日は、当該線源の規格として定められている放射線量を有する基準日である。線源は、時間の経過とともに放射線量が減少するので、このような検定日が定められている。規格は、検定日において当該線源が有する放射線量（これを線源数量という）である。この実施形態では、管理対象である放射線源をヨウ素１２５としており、３種類の規格（11.0MBq、13.1MBq、15.3MBq）の線源を管理するものとしている。なお、一人の患者に対して、複数個の線源を用いるのが普通である。したがって、これら複数の線源（線源群）を一まとめにして管理ＩＤを付すようにしている。線源の個数には、このように一まとめにして管理する線源の個数を入力する。
【００６４】
ＣＰＵ２は、これらの入力がなされると、入力された規格と個数に基づいて、受入た線源の線量（規格×個数）を算出して表示する（図９の「線源の数量」の欄）。
【００６５】
続いて、ＣＰＵ２は、ハードディスク１２の管理データ２０（図４ａ参照）に基づいて、各規格毎に、現在未使用の線源の合計線量Ｇ11、Ｇ131、Ｇ153を算出する。これは、下式によって算出することができる。
【００６６】
Ｇ11＝  11.0×Ａ
Ｇ131＝13.1×Ｂ
Ｇ153＝15.3×Ｃ
ここで、Ａは、貯蔵されている11.0規格の線源の数であり、管理データ２０の線源の個数から使用個数を引くことによって算出できる。なお、ここでは、脱落線源（後述）として保管している線源は、貯蔵線源として計数しない。Ｂは貯蔵されている13.1規格の線源の数、Ｃは貯蔵されている15.3規格の線源の数である。
【００６７】
ＣＰＵ２は、このようにして算出した各規格毎の合計線量Ｇ11、Ｇ131、Ｇ153に、今回受け入れた線源群の合計線量を加えて、各規格毎の合計貯蔵線量（合計規格線量）ＧＴ11、ＧＴ131、ＧＴ153を算出する（ステップＳ２３４）。
【００６８】
続けて、ＣＰＵ２は、この受入後の合計貯蔵線量ＧＴ11、ＧＴ131、ＧＴ153と、予め記録している11.0規格の線源の貯蔵可能合計線量ＬＴ11、13.1規格の線源の貯蔵可能合計線量ＬＴ131、15.3規格の線源の貯蔵可能合計線量ＬＴ153とを、端末装置Ｔ1に送信して表示させる（図９参照）（ステップＳ２３５）。
【００６９】
貯蔵可能合計線量ＬＴ11、ＬＴ131、ＬＴ153は、法規の定めに従って、当該施設において貯蔵が許された各規格毎の放射線量の上限である。なお、貯蔵可能合計線量は放射線源の種類ごと規格ごとに定められるので、複数種類の放射線源を管理する場合には、放射線源の種類毎、規格毎に合計貯蔵線量を算出する必要がある。この実施形態では、ヨウ素１２５だけを管理対象としている。
【００７０】
さらに、ＣＰＵ２は、算出した合計貯蔵線量ＧＴ11、Ｇ131、Ｇ153のいずれかが、対応する貯蔵可能合計線量ＬＴ11、ＬＴ131、ＬＴ153を超えているかを判断する（ステップＳ２３６）。超えていれば、端末装置Ｔ1のディスプレイ６に、いずれの規格について貯蔵可能合計線量を超えているかの警告を表示させる（ステップＳ２３７）。利用者は、この警告を見て、適切な対応を行うことが可能となる。超えていなければ、警告は表示しない。
【００７１】
図９の画面において、利用者が保存ボタン５００を押下すると、入力された受入線源のデータが、管理データ２０に追加される（ステップＳ２３８）。利用者が戻るボタン５０２を押すと、ＣＰＵ２は、図６のメイン画面を端末装置Ｔ1に送信して表示させる。
【００７２】
上記のように、この実施形態によれば、受入後に合計貯蔵線量が限界を超えるか否かを判断することができる。なお、合計貯蔵線量が、貯蔵可能合計線量の所定割合（たとえば９割）を超えたら警告を出すようにしてもよい。
【００７３】
なお、上記実施形態では、規格毎に貯蔵可能合計線量を定め、規格に現在の個数を乗じて規格毎の合計貯蔵線量を算出し、これが貯蔵可能合計線量を超えていないかどうかを判断している。
【００７４】
しかし、上記のように直接的に合計貯蔵線量を算出して貯蔵可能合計線量と比較してもよいが、間接的に合計貯蔵線量を算出して比較を行うようにしてもよい。たとえば、規格毎に貯蔵可能合計個数を定め、各規格の線源の合計個数が、貯蔵可能合計個数を超えていないかどうかを判断するようにしてもよい。この場合には、貯蔵可能合計個数が間接的に貯蔵可能合計線量を示し、合計個数が間接的に合計貯蔵線量を示すことになる。
【００７５】
1.5.2使用処理
利用者（医師など）が、線源を使用する時に、線源管理領域３０の使用ボタン３４を押下した場合の処理について説明する（図７、ステップＳ１３４）。ＣＰＵ２は、使用ボタン３４の押下に対応して、図１０に示す使用処理画面を端末装置Ｔ2に送信して表示させる。利用者は、この画面を見ながら、端末装置Ｔ2からマウス／キーボード１０を用いて使用のための入力を行う。
【００７６】
使用する線源の線源管理ＩＤ、患者ＩＤ、使用年月日、総出庫個数、使用個数などを入力する。患者ＩＤは、サーバ装置Ｓのハードディスク１２に記録されている患者データ２１において、患者を特定するためのＩＤである。総出庫個数は、貯蔵していた線源を倉庫などから出庫した個数である。使用個数は、実際に患者に埋め込んで使用した個数である。
【００７７】
なお、出庫したが使用しなかった線源が残った場合には、図１０の画面右の入庫時刻、入庫個数を入力し、残った線源を倉庫に入庫する。
【００７８】
保存ボタン５１０が押下されると、ＣＰＵ２は、図４ａに示す管理データ２０を更新する。具体的には、使用個数の欄に今回の使用個数を加算する等の処理を行う。また、患者データ２１中の当該患者ＩＤの患者について、線源管理ＩＤと使用個数を追加して記録する。
【００７９】
1.5.3退出処理
利用者（医師など）が、患者退院の時に、線源管理領域３０の退出ボタン３６を押下した場合の処理について説明する（図７、ステップＳ１３６）。ＣＰＵ２は、退出ボタン３６の押下に対応して、図１１に示す使用処理画面を端末装置Ｔ3に送信して表示させる。
【００８０】
退院する患者ＩＤ、総脱落個数、退出年月日などを入力する。なお、ＣＰＵ２は、患者データ２１の患者ＩＤによって特定される患者の線源管理ＩＤ、使用個数、脱落個数および今回入力された総脱落個数に基づいて、患者に埋め込まれている線源の数を特定し、線量の残量を算出する。具体的には、線源管理ＩＤに基づいて管理データを参照し、線源の規格、検定日を取得し、検定日から現在日時までの経過時間および規格に基づいて、線源１個あたりの現在の線量を算出する。これに、現在患者に埋め込まれている線源の数を乗じて、残量を算出する。残量の算出式を下記に示す。
【００８１】
【数１】
2008191094.tif 000003
【００８２】
ＣＰＵ２は、このようにして算出した残量を端末装置Ｔ3に送信して表示させる（図１１の「退出日の残量率」参照）。さらに、ＣＰＵ２は、この残量が基準（1300MBq以下）を満たしているかどうかを判断し、満たしていなければ、端末装置Ｔ3の画面上に警告を表示する。
【００８３】
なお、上記のように計算上の残量が基準を満たしていなくとも、患者に遮蔽措置を施した上での残量の実測値が基準を下回っていれば、退院させても良いことになっている。そこで、上記警告に基づいて、患者に遮蔽措置を施した後に実測値を測定した場合には、図１１の「退出日の残留量」に、この実測値を退出時線量率として入力する。ＣＰＵ２は、この実測値が基準を満たしていれば警告を表示しない。
【００８４】
保存ボタンが５２０が押下されると、管理データ２０、患者データ２１が更新される。
【００８５】
なお、上記実施形態では、残量が基準を満たしていない場合に警告を表示するようにしている。しかし、ＣＰＵ２は、警告に加えて、あるいは警告に代えて、退出日をいつにすれば基準を満たすかを算出して、提案退出日を端末装置Ｔ3に表示させるようにしてもよい。提案退出日は、上記の数式１に基づいて算出することができる。
【００８６】
また、ＣＰＵ２は、使用者が入力した退出日において基準を満たすためには、どのような遮蔽措置を施せばよいかを、端末装置Ｔ3に表示するようにしてもよい。この場合、予めハードディスク１２に各遮蔽措置ごとに遮蔽率を予め記録しておき、残量に各遮蔽措置毎の遮蔽率を乗じて、いずれの遮蔽措置であれば基準を満足するかを、判断すればよい。ただし、これはいずれの遮蔽措置を採ればいいかを示す目安に過ぎないので、実際には、当該遮蔽措置を施した後、測定した実測値（退出時線量率）が、基準を下回っているかどうかを判断する必要がある。
【００８７】
1.5.4余剰線源の引渡処理
利用者（管理者など）が、余剰線源を譲渡する時に、線源管理領域３０の余剰線源の引渡ボタン３８を押下した場合の処理について説明する（図７、ステップＳ１３８）。図１２に、余剰線源引渡処理の詳細を示す。
【００８８】
ＣＰＵ２は、退出ボタン３６の押下に対応して、図１３に示す使用処理画面を端末装置Ｔ4に送信して表示させる（ステップＳ２５０）。
【００８９】
利用者は、線源管理ＩＤ、処理年月日、個数、譲渡先などを入力する（ステップＳ２５１）。処理年月日は、譲渡を行う予定日である。ＣＰＵ２は、これを受けて、各予定日において譲渡される線源の個数を合計し、引渡容器がいくつ必要であるかを算出して端末装置Ｔ4に表示する（ステップＳ２５２）。これは、引渡容器の所定収納可能数に基づいて算出（譲渡対象である線源の個数を引渡容器の所定集の可能数で除し、商を切り上げて算出）すればよい。
【００９０】
なお、この際に、引渡容器の必要個数が２００個を超えた場合、その旨を警告として表示するようにしてもよい。日本アイソトープ協会の規定上、余剰線源の譲渡においては、１度に２００個までという制限があるからである。上記警告に加えて、さらに、２００個を超えた個数（超過個数）を表示するようにしてもよい。
【００９１】
保存ボタン５３０が押下されると、管理データ２０が更新される（ステップＳ２５３）。
【００９２】
1.5.5退院後の脱落線源等の管理処理
退院後に、患者から線源が脱落することがある。この場合には、患者が病院に脱落線源を届けることになっている。利用者（管理者など）が、この脱落線源を受け取った時に、線源管理領域３０の退院後の脱落線源等の管理ボタン４０を押下した場合の処理について説明する（図７、ステップＳ１４０）。ＣＰＵ２は、退出ボタン４０の押下に対応して、図１４に示す退院後の脱落線源等の管理画面を端末装置Ｔ5に送信して表示させる。
【００９３】
利用者は、患者ＩＤ、脱落年月日、脱落個数などを入力する。保存ボタン５４０が押下されると、管理データ２０の脱落個数の欄に今回入力された脱落個数が加算されて更新される。
【００９４】
1.5.6脱落線源の廃棄処理
利用者（管理者など）が、脱落線源を廃棄する時に、線源管理領域３０の脱落線源の廃棄ボタン４２を押下した場合の処理について説明する（図７、ステップＳ１４２）。図１５に、脱落線源の廃棄処理の詳細を示す。
【００９５】
ＣＰＵ２は、脱落線源の廃棄ボタン４２の押下に対応して、図１６に示す脱落線源の廃棄処理画面を端末装置Ｔ6に送信して表示させる。この際、ＣＰＵ２は、管理データ２０を参照して、脱落個数から廃棄個数を減じて「１」以上となる線源群を抽出し、端末装置Ｔ6の画面に表示する。この際、脱落個数から廃棄個数を減じた数を、廃棄予定個数として表示する。図１６では、一つの線源群のみが表示されている。
【００９６】
利用者は、廃棄委託日、廃棄先などを入力する（ステップＳ２４３）。なお、廃棄委託日は、抽出された線源群の廃棄を委託する予定日である。これらの入力を行った後、利用者が、線量確認ボタン９８を押下すると、ＣＰＵ２は、抽出された線源群の合計廃棄線量を算出する（ステップＳ２４４）。この演算は、廃棄対象として抽出された線源群の検定日、規格、個数、使用個数、脱落個数、廃棄個数、廃棄委託日および廃棄予定個数などに基づいて、下式によって演算する。
【００９７】
【数２】
2008191094.tif 000004
【００９８】
廃棄の場合には、貯蔵の場合とは異なり、規格による線量ではなく半減期を考慮した実際の線量を算出する。これは、廃棄時の容器の収納基準が、半減期を考慮した実際の線量に基づいて定められているからである。
【００９９】
ＣＰＵ２は、算出した合計廃棄線量に基づいて、廃棄容器がいくつ必要であるかを算出し、端末装置Ｔ6に表示する（ステップＳ２４５、Ｓ２４６）。これは、廃棄容器の所定収納可能線量に基づいて算出（合計廃棄線量を廃棄容器の所定収納可能線量で除して、商を切り上げて算出する）すればよい。
【０１００】
なお、譲渡と異なり、廃棄の場合には日本アイソトープ協会の規定による個数制限はないので、合計廃棄線量のみを算出して表示し、廃棄容器の必要個数は算出・表示しないようにしてもよい。
【０１０１】
廃棄処理ボタン５５０が押下されると、管理データ２０の対象となった線源群の廃棄個数が加算されて更新される。
【０１０２】
なお、廃棄物回収帳簿ボタン９９が押下されると、ＣＰＵ２は、管理データ２０を参照して、廃棄対象となった線源群に付き、廃棄物回収帳簿を端末装置Ｔ6においてプリントアウトさせる。図１７に、プリントアウトされた廃棄物回収帳簿の例を示す。
【０１０３】
1.5.7検索処理
利用者が、図６の画面において、検索条件を入力し検索ボタン７２を押下した場合の処理を説明する。これにより、ＣＰＵ２は、検索条件にしたがって、管理データ２０、患者データ２１を検索し、検索結果を端末装置Ｔ1に表示する。なお、検索条件を入力しないで検索を行った場合には、全ての線源群が表示される。
【０１０４】
図１８に、検索結果画面の例を示す。この画面において、利用者が、受入・保管・運搬帳簿ボタン３０１にマークを入れて、印刷ボタン３０２を押下すると、ＣＰＵ２は、管理データ２０、患者データ２１を参照して、選択された線源群につき、受入・保管・運搬帳簿を端末装置Ｔ1においてプリントアウトさせる。図１９ａ、図１９ｂに、受入・保管・運搬帳簿のプリントアウト例を示す。なお、受入・保管・運搬帳簿は、本来は１枚の用紙にプリントアウトするものであるが、ここでは図面作成の都合上、２つに分けて記載している。
【０１０５】
次に、利用者が、図６の画面において、検索条件を入力し検索ボタン８２を押下した場合の処理を説明する。これにより、ＣＰＵ２は、検索条件にしたがって、管理データ２０、患者データ２１を検索し、検索結果を端末装置Ｔ1に表示する。図２０に、検索結果画面の例を示す。
【０１０６】
図２０において、利用者が、退出管理帳簿ボタン３０３にマークを入れて、印刷ボタン３０５を押下すると、ＣＰＵ２は、管理データ２０、患者データ２１を参照して、選択された患者につき、退出管理帳簿を端末装置Ｔ1においてプリントアウトさせる。
【０１０７】
同様に、利用者が、脱落線源帳簿ボタン３０４にマークを入れて、印刷ボタン３０５を押下すると、ＣＰＵ２は、管理データ２０、患者データ２１を参照して、選択された線源群につき、脱落線源帳簿を端末装置Ｔ1においてプリントアウトさせる。
【０１０８】
図２１、図２２に、退出管理帳簿、脱落線源帳簿の例を示す。
【０１０９】
２．その他の実施形態
2.1発注処理
上記実施形態に加えて、線源群の発注処理を行うようにしてもよい。たとえば、図６の画面において発注ボタンを設け、これが押下されると、以下に示すような発注処理をＣＰＵ２が行うようにする。
【０１１０】
発注処理のフローチャートを図２３に示す。使用者が発注処理ボタンを押下すると、ＣＰＵ２は、発注画面を端末装置Ｔ2に送信して表示する（ステップＳ４４４）。利用者は、線源管理ＩＤ、検定日、受入予定日、使用予定日、規格などを入力する（ステップＳ４４５）。
【０１１１】
これを受けて、ＣＰＵ２は、管理データ２０および今回入力されたデータに基づいて、受入予定日から使用予定日までのそれぞれの日の規格毎の合計貯蔵線量ＧＴ11、ＧＴ131、ＧＴ153を算出する（ステップＳ４４６）。ＣＰＵ２は、いずれの日においても、規格毎の合計貯蔵線量ＧＴ11、ＧＴ131、ＧＴ153のいずれもが貯蔵可能合計線量ＬＴ11、ＬＴ131、ＬＴ153を超えなければ、ステップＳ４５０に進む。
【０１１２】
いずれかの日において、いずれかの合計貯蔵線量ＧＴ11、ＧＴ131、ＧＴ153が、対応する貯蔵可能合計線量ＬＴ11、ＬＴ131、ＬＴ153を超える場合には（ステップＳ４４６ａ）、警告を端末装置Ｔ2に表示する（ステップＳ４４７）。さらに、ＣＰＵ２は、受入予定日を遅らせ、あるいは使用予定日を早くして（あるいは遅らせる）、問題となった規格の合計貯蔵線量が、いずれの日においても貯蔵可能合計線量を超えることのないように演算を行う（ステップＳ４４８）。ＣＰＵ２は、このようにして算出した、当該規格の線源について受入予定日、使用予定日の提案を、端末装置Ｔ2に表示する（ステップＳ４４９）。
【０１１３】
なお、上記実施形態では、規格毎に貯蔵可能合計線量を記録しておき、対応する規格毎の合計貯蔵線量が、これを超えるかどうかによって警告の判定を行っている。これは、現在の規則では、規格毎に貯蔵可能合計線量が定められているからである。しかし、規則改正などにより、複数の規格をまとめて貯蔵可能合計線量が定められた場合には、複数の規格を合計した貯蔵可能合計線量を記録しておき、複数の規格を合計した合計貯蔵線量が、これを超えるかどうかによって警告の判定を行ってもよい。
【０１１４】
使用者が、発注ボタン３０９を押下すると、発注伝票が端末装置Ｔ2のプリンタから印刷される（ステップＳ４５０）。あるいは、発注先に対して、発注データが送信される。さらに、ＣＰＵ２は、入力されたデータを、管理データ２０に追加して登録する。
【０１１５】
なお、上記実施形態では、受入予定日から使用予定日の全ての日について、各規格の合計貯蔵線量が対応する規格の貯蔵可能合計線量を超えないかを判断している。しかし、受入予定日だけについてこの判断を行うようにしてもよい。
【０１１６】
2.2その他
上記実施形態では、サーバ装置Ｓと端末装置を用いてシステムを構成しているが、１台のコンピュータ（スタンドアローン）によってシステムを実現してもよい。また、線源管理プログラムを記録したコンピュータと、管理データなどを記録したコンピュータとによって、サーバ装置Ｓを構成するようにしてもよい。
【０１１７】
上記実施形態では、警告をディスプレイに表示するようにしているが、音声として出力するようにしてもよい。
【図面の簡単な説明】
【０１１８】
【図１】線源管理システムの機能ブロック図である。
【図２】線源管理システムのシステム構成図である。
【図３】サーバ装置Ｓのハードウエア構成である。
【図４ａ】管理データの例を示す図である。
【図４ｂ】患者データの例を示す図である。
【図５】線源管理プログラムのフローチャートである。
【図６】メイン画面を示す図である。
【図７】線源管理の詳細を示すフローチャートである。
【図８】保管処理の詳細を示すフローチャートである。
【図９】保管処理画面を示す図である。
【図１０】使用処理画面を示す図である。
【図１１】退出処理画面を示す図である。
【図１２】余剰線源の引渡処理のフローチャートである。
【図１３】余剰線源の引渡処理画面を示す図である。
【図１４】退出後の脱落線源等の管理画面を示す図である。
【図１５】脱落線源の廃棄処理のフローチャートである。
【図１６】脱落線源の廃棄処理画面を示す図である。
【図１７】廃棄物回収帳簿の例である。
【図１８】線源検索の結果を示す図である。
【図１９ａ】受入・保管・運搬帳簿の例である。
【図１９ｂ】受入・保管・運搬帳簿の例である。
【図２０】患者情報検索画面を示す図である。
【図２１】退出管理帳簿の例である。
【図２２】脱落線源帳簿の例である。
【図２３】発注処理のフローチャートである。
【図２４】発注処理画面を示す図である。
【符号の説明】
【０１１９】
２・・・入力部
４・・・記録部
６・・・合計線量算出手段
８・・・発注時処理手段
１０・・・廃棄時処理手段
【図１】
2008191094.tif 000005
【図２】
2008191094.tif 000006
【図３】
2008191094.tif 000007
【図４ａ】
2008191094.tif 000008
【図４ｂ】
2008191094.tif 000009
【図５】
2008191094.tif 000010
【図６】
2008191094.tif 000011
【図７】
2008191094.tif 000012
【図８】
2008191094.tif 000013
【図９】
2008191094.tif 000014
【図１０】
2008191094.tif 000015
【図１１】
2008191094.tif 000016
【図１２】
2008191094.tif 000017
【図１３】
2008191094.tif 000018
【図１４】
2008191094.tif 000019
【図１５】
2008191094.tif 000020
【図１６】
2008191094.tif 000021
【図１７】
2008191094.tif 000022
【図１８】
2008191094.tif 000023
【図１９ａ】
2008191094.tif 000024
【図１９ｂ】
2008191094.tif 000025
【図２０】
2008191094.tif 000026
【図２１】
2008191094.tif 000027
【図２２】
2008191094.tif 000028
【図２３】
2008191094.tif 000029
【図２４】
2008191094.tif 000030